(57)【特許請求の範囲】
【請求項１】
装身具の一方の端部に連結されるとともに、前記装身具の短手方向に突出したプッシュボタンのボタン側係合部と、
前記装身具の他方の端部に連結された係合部とを備え、
前記プッシュボタンのボタン側係合部と、前記装身具の他方の端部に連結された係合部との係合により、前記装身具を所定の長さに設定するとともに、
前記プッシュボタンの押圧操作により、前記ボタン側係合部と前記装身具の他方の端部に連結された係合部との係合を解除する中留構造を備え、
前記中留構造に、装身具の長さの微調整を行う装身具長さ微調整手段を設けた装身具の中留構造であって、
前記中留構造が、
前記一対のプッシュボタンを、その装身具の短手方向に形成されたプッシュボタン開口部から、プッシュボタンを出没可能に収容するプッシュボタン保持部材と、
前記プッシュボタンが、前記プッシュボタン保持部材から抜け落ちるのを防止する抜け止め手段とを備え、
前記装身具長さ微調整手段が、
前記プッシュボタンの操作と連動して、前記装身具の短手方向に摺動可能なボタン側係合手段と、
前記ボタン側係合手段と係合可能なスライド板とを備え、
前記プッシュボタンのボタン側係合手段が、前記プッシュボタン保持部材の前記スライド板側に形成されたスリット開口部を介して、その上方係合部が突出するととともに、相互に離間する方向に付勢部材によって付勢された一対の断面略Ｌ字形状の係合突出部であり、
前記中留構造と前記装身具長さ微調整手段とを、装身具の中留本体に取り付けたことを特徴とする装身具の中留構造。
【請求項２】
前記スライド板が、前記装身具の一端に連結されるとともに、装身具の長手方向に摺動可能に構成され、
前記スライド板が、前記ボタン側係合手段が係脱可能に係合するスライド板側係合手段を備えることを特徴とする請求項１に記載の装身具の中留構造。
【請求項３】
前記スライド板が、前記プッシュボタンと重なり合うように配置されていることを特徴とする請求項１から２のいずれかに記載の装身具の中留構造。
【請求項４】
前記プッシュボタンのボタン側係合手段が、スライド板側に突出する係合突出部であり、
前記スライド板側係合手段が、前記スライド板に設けた開口部の装身具長手方向に沿った少なくとも一辺の縁部に形成されるとともに、前記プッシュボタンの係合突出部が係脱可能に係合する係合歯部であることを特徴とする請求項１から３のいずれかに記載の装身具の中留構造。
【請求項５】
前記スライド板の係合歯部の歯形状が、平面視でラチェット歯、山歯、谷歯、方形歯のいずれか１つであることを特徴とする請求項４に記載の装身具の中留構造。
【請求項６】
前記スライド板の係合歯部の歯形状が、互いに向きが逆のラチェット歯をそれぞれ装身具長手方向に複数並べて構成したことを特徴とする請求項４から５のいずれかに記載の装身具の中留構造。
【請求項７】
前記プッシュボタンの係合突出部の下方係合部が、前記プッシュボタンの前記スリット開口部側に装身具の長手方向に突出したボタン側係合手段保持用突出部の内端側に当接し、
前記プッシュボタンの押圧操作と連動して、前記プッシュボタンの係合突出部が、前記プッシュボタン保持部材のスリット開口部内を、装身具の短手方向に摺動するように構成されていることを特徴とする請求項１から６のいずれかに記載の装身具の中留構造。
【請求項８】
前記装身具の中留本体が、断面が略コの字形状で、前記装身具の長手方向の両側壁に、前記プッシュボタンのボタン操作部が突出するボタン用窓部が形成されており、
前記プッシュボタンのボタン操作部を、前記プッシュボタン保持部材のプッシュボタン開口部内に押し込んだ状態で、前記ボタン用窓部内に前記プッシュボタンのボタン操作部を取り付けることによって、前記中留構造を前記装身具の中留本体に取り付けるように構成したことを特徴とする請求項２から７のいずれかに記載の装身具の中留構造。
【請求項９】
前記抜け止め手段が、前記プッシュボタン保持部材内に、前記一対のプッシュボタンと重ね合わせて装着された抜け止め板であり、
前記抜け止め板が、前記スリット開口部と反対側に板厚方向に前記プッシュボタン側に突設した一対の係止突設片を備え、
前記プッシュボタンが、前記プッシュボタンの前記スリット開口部と反対側に、装身具の長手方向に突出した突設部を備え、
前記抜け止め板の係止突設片の内側端が、前記プッシュボタンの突設部の外端に当接することによって、前記プッシュボタンが、前記プッシュボタン保持部材から抜け落ちるのを防止するように構成されていることを特徴とする請求項１から８のいずれかに記載の装身具の中留構造。
【請求項１０】
前記装身具の他方の端部に連結された係合部が、係合突起部であり、
前記プッシュボタン保持部材に、前記装身具の他方の端部に連結された係合部の係合突起が嵌入する嵌入孔が形成され、
前記抜き止め板に、前記装身具の他方の端部に連結された係合部の係合突起が嵌入する嵌入孔が形成されるとともに、
前記一対のプッシュボタンの装身具の短手方向の内端にそれぞれ形成された係合端の間で、前記装身具の他方の端部に連結された係合部の係合突起を、着脱自在に係止するように構成したことを特徴とする請求項9に記載の装身具の中留構造。
【請求項１１】
前記中留構造が、両プッシュ中留構成または片プッシュ中留構成であることを特徴とする請求項１から１０のいずれかに記載の装身具の中留構造。
【請求項１２】
前記装身具の他方の端部に連結された係合部が、中折れ部材に設けた中折れ部材側係合部であることを特徴とする請求項１から１１のいずれかに記載の装身具の中留構造。
【請求項１３】
前記中折れ部材が、複数折れ構成であることを特徴とする請求項１２に記載の装身具の中留構造。
【請求項１４】
前記中折れ部材が、観音開き構成であることを特徴とする請求項１２に記載の装身具の中留構造。
【請求項１５】
前記中留構造をシングル・ロックタイプの装身具構成に設けたことを特徴とする請求項１から１1のいずれかに記載の装身具の中留構造。
【請求項１６】
前記装身具の中留本体の前記装身具の長手方向の両側壁に形成されたボタン用窓部の周辺部が、内側に傾斜して形成したさらい部が形成されていることを特徴とする請求項１から１５のいずれかに記載の装身具の中留構造。
【請求項１７】
装身具の一方の端部に連結されるとともに、前記装身具の短手方向に突出したプッシュボタンのボタン側係合部と、
前記装身具の他方の端部に形成された係止孔と、
前記プッシュボタンを収容する中留枠と、
前記中留枠とともに前記装身具の他方の端部を挿通する開口部を形成するとともに、この開口部に挿入された前記装身具の他方の端部の係止孔に係脱可能に係止する突棒を有する表板とを備え、
前記プッシュボタンのボタン側係合部と、前記突棒との係合により、前記装身具を所定の長さに設定するとともに、
前記プッシュボタンの押圧操作により、前記ボタン側係合部と前記突棒との係合を解除する中留構造を備え、
前記中留構造に、装身具の長さの微調整を行う装身具長さ微調整手段を設けた装身具の中留構造であって、
前記中留構造が、
前記一対のプッシュボタンを、その装身具の短手方向に形成されたプッシュボタン開口部から、プッシュボタンを出没可能に収容するプッシュボタン保持部材と、
前記プッシュボタンが、前記プッシュボタン保持部材から抜け落ちるのを防止する抜け止め手段とを備え、
前記装身具長さ微調整手段が、
前記プッシュボタンの操作と連動して、前記装身具の短手方向に摺動可能なボタン側係合手段と、
前記ボタン側係合手段と係合可能なスライド板とを備え、
前記プッシュボタンのボタン側係合手段が、前記プッシュボタン保持部材の前記スライド板側に形成されたスリット開口部を介して、その上方係合部が突出するととともに、相互に離間する方向に付勢部材によって付勢された一対の断面略Ｌ字形状の係合突出部であり、
前記中留構造と前記装身具長さ微調整手段とを、装身具の中留本体に取り付けたことを特徴とする装身具の中留構造。
【請求項１８】
前記スライド板が、前記装身具の一端に連結されるとともに、装身具の長手方向に摺動可能に構成され、
前記スライド板が、前記ボタン側係合手段が係脱可能に係合するスライド板側係合手段を備えることを特徴とする請求項１７に記載の装身具の中留構造。
【請求項１９】
前記スライド板が、前記プッシュボタンと重なり合うように配置されていることを特徴とする請求項１７から１８のいずれかに記載の装身具の中留構造。
【請求項２０】
前記プッシュボタンのボタン側係合手段が、スライド板側に突出する係合突出部であり、
前記スライド板側係合手段が、前記スライド板に設けた開口部の装身具長手方向に沿った少なくとも一辺の縁部に形成されるとともに、前記プッシュボタンの係合突出部が係脱可能に係合する係合歯部であることを特徴とする請求項１７から１９のいずれかに記載の装身具の中留構造。
【請求項２１】
前記スライド板の係合歯部の歯形状が、平面視でラチェット歯、山歯、谷歯、方形歯のいずれか１つであることを特徴とする請求項２０に記載の装身具の中留構造。
【請求項２２】
前記スライド板の係合歯部の歯形状が、互いに向きが逆のラチェット歯をそれぞれ装身具長手方向に複数並べて構成したことを特徴とする請求項２０から２１のいずれかに記載の装身具の中留構造。
【請求項２３】
前記プッシュボタンの係合突出部の下方係合部が、前記プッシュボタンの前記スリット開口部側に装身具の長手方向に突出したボタン側係合手段保持用突出部の内端側に当接し、
前記プッシュボタンの押圧操作と連動して、前記プッシュボタンの係合突出部が、前記プッシュボタン保持部材のスリット開口部内を、装身具の短手方向に摺動するように構成されていることを特徴とする請求項１７から２２のいずれかに記載の装身具の中留構造。
【請求項２４】
前記装身具の中留本体が、断面が略コの字形状で、前記装身具の長手方向の両側壁に、前記プッシュボタンのボタン操作部が突出するボタン用窓部が形成されており、
前記プッシュボタンのボタン操作部を、前記プッシュボタン保持部材のプッシュボタン開口部内に押し込んだ状態で、前記ボタン用窓部内に前記プッシュボタンのボタン操作部を取り付けることによって、前記中留構造を前記装身具の中留本体に取り付けるように構成したことを特徴とする請求項１７から２３のいずれかに記載の装身具の中留構造。
【請求項２５】
前記抜け止め手段が、前記プッシュボタン保持部材内に、前記一対のプッシュボタンと重ね合わせて装着された抜け止め板であり、
前記抜け止め板が、前記スリット開口部と反対側に板厚方向に前記プッシュボタン側に突設した一対の係止突設片を備え、
前記プッシュボタンが、前記プッシュボタンの前記スリット開口部と反対側に、装身具の長手方向に突出した突設部を備え、
前記抜け止め板の係止突設片の内側端が、前記プッシュボタンの突設部の外端に当接することによって、前記プッシュボタンが、前記プッシュボタン保持部材から抜け落ちるのを防止するように構成されていることを特徴とする請求項１７から２４のいずれかに記載の装身具の中留構造。
【請求項２６】
前記プッシュボタン保持部材に、前記表板の突棒が嵌入する嵌入孔が形成され、
前記抜き止め板に、前記表板の突棒が嵌入する嵌入孔が形成されるとともに、
前記一対のプッシュボタンの装身具の短手方向の内端にそれぞれ形成された係合端の間で、前記表板の突棒を、着脱自在に係止するように構成したことを特徴とする請求項２５に記載の装身具の中留構造。
【請求項２７】
前記中留構造が、両プッシュ中留構成または片プッシュ中留構成であることを特徴とする請求項１７から２６のいずれかに記載の装身具の中留構造。
【請求項２８】
前記装身具の中留本体の前記装身具の長手方向の両側壁に形成されたボタン用窓部の周辺部が、内側に傾斜して形成したさらい部が形成されていることを特徴とする請求項１７から２７のいずれかに記載の装身具の中留構造。
【発明の詳細な説明】
【０００１】
【発明の属する技術分野】
本発明は、身体に巻回されて装着される装身具の構造に関し、特に、腕時計、ブレスレッド等の手首に巻回される装身具、ネックレス等の首に巻回される装身具、または、ズボンのベルト等の腰に巻回される装身具に適し、しかも、朝夕で僅かに異なる手首、首、または、腰の微妙な太さの変化にも追従して、その長さを微調整することができる装身具の中留構造に関する。
【０００２】
【従来の技術】
従来、装身具としての時計バンド構造の中留構造におけるバンド長さを調整する機構としては、図１６に示したように、時計バンドの各駒１７０のアジャストピン１７１を抜き、駒１７０の着脱でバンド長さの調整を行っている。
しかしながら、この長さ調整機構では、着脱される駒１７０の長さ分しかバンド長さを調整できないので、ユーザーが腕時計を装着した際に、個々のユーザーが有するバンドの緩詰の好みに合ったバンド長さの微調整ができず、腕時計の装着感が良好ではなかった。
【０００３】
また、別の時計バンド構造の中留構造におけるバンド長さを調整する機構として、図１７に示したように、長さ調整板１８３の端部に設けたバネ棒１８９を、長さ調整板１８３の調整孔１８５に係脱可能に係止することでバンド長さの調整を行っている。
しかしながら、この長さ調整機構では、微かな長さ調整ができるものの、バンド長さの調整の都度、ばね棒１８９を外し、他の調整孔１８５に係止しなければならず、この作業にはピンセットのような工具と作業の熟練が必要であり、ユーザーが簡単に行えるものではなかった。また、調整孔１８５の間のピッチを小さくすることは、加工上限界があり、極くわずかな長さ調整ができるものではなかった。
【０００４】
また、朝夕で手首の太さが微妙に変化するため、ユーザーが十分な装着感を得るためには、ユーザー自身で簡単に朝夕で長さ調整が行われることが望まれるが、これらのいずれの長さ調整機構でも、バンド長さを調整するにはピンセットのような工具と、作業の熟練が必要であり、ユーザーが簡単に行えるものではなかった。
【０００５】
このため、従来より、バンド長さの微調整機構を備えた時計バンド構造が要望されており、特開平８−３０８６１６号公報においては、朝夕で僅かに異なる手首等の微妙な太さの変化にも追従して、その長さを容易に微調整できる装身具の中留構造が提案されている。
すなわち、このバンド長さの微調整機構を備えた時計バンド構造では、図１８に示したように、バンド短手方向に突出したプッシュボタン１１９、１２０の係合部１４０と中折れ部材１０５に設けた係合爪１０９との係合により時計バンドを所定の長さに設定するとともに、プッシュボタン１１９、１２０の押圧操作により係合部１４０と係合爪１０９との係合を解除する中留構造１０６を備えている。
【０００６】
そして、この中留構造１０６に、時計バンドの長さの微調整を行うバンド長さ微調整手段を設けており、このバンド長さ微調整手段を、時計バンドの一端が固定されるとともに、時計バンドの長手方向に滑動可能なスライド板１１８を備え、このスライド板１１８に、プッシュボタン１１９、１２０の係合突起１４１が係脱可能に係合するラチェット歯１３７を設けて構成している。
【０００７】
このように構成することによって、プッシュボタン１１９、１２０を操作して、または操作することなしに、係合突起１４１をラチェット歯１３７より外して、スライド板１１８を移動して所定の長さの調整後に、プッシュボタン１１９、１２０の係合突起１４１をラチェット歯１３７に係合して、バンド長さの微調整を行なうことができるようになっている。
【０００８】
すなわち、手首の太さが僅かに変化した時は、プッシュボタン１１９、１２０を押圧して段階的に微調整を行い、腕時計を手首から外すこと無く、最も適当な装着感を得ることができるように構成されている。
【０００９】
【発明が解決しようとする課題】
ところで、このようなバンド長さの微調整機構を備えた時計バンド構造では、プッシュボタン１１９、１２０に係合突起１４１を形成するには、例えば、プッシュボタン１１９、１２０を折り曲げたり、係合突起１４１を溶接で固着したり、コイニング加工、係合突起１４１を螺子ピンに加工するなどの特殊な加工をしなければならず、煩雑でコストが高くなることになる。
【００１０】
また、プッシュボタン１１９、１２０の係合突起１４１には、このような折曲、溶接螺子ピンなどの加工によって形成しているので、長年の繰り返し使用や、衝撃などによって、係合突起１４１が破損、損傷して、腕時計が使用者の手首から抜け落ちてしまうおそれもある。
さらに、図１８に示したように、中留枠１１６にプッシュボタン保持部材１１７を取り付ける際には、プッシュボタン保持部材１１７の折曲げ部１２９ａ、１２９ｂを、中留枠１１６の端壁部１２２ａ、１２２ｂ間に挿入して、取付部１３０、１３１を、座面部１２４、１２５に当接し、これらの座面部１２４、１２５に設けたかしめ用ピン１２６ａを取付部１３０、１３１の孔部１３２に挿入した後、かしめることにより固着する必要がある。
【００１１】
従って、中留枠１１６にプッシュボタン保持部材１１７を取り付けるには、かしめ用ピン１２６ａの挿入、かしめなどの煩雑な作業が必要であり、コストも高くなる。しかも、中留枠１１６の仕上げ加工などの加工が完了した後に、このようなかしめ作業によるプッシュボタン保持部材１１７を取り付ける作業を必要とするので、取り付け作業の際に、加工治具などによって中留枠１１６を傷つけて、外観品質に影響を及ぼすおそれもある。
【００１２】
本発明は、このような現状を考慮して、朝夕で僅かに異なる手首等の微妙な太さの変化にも追従して、その長さを容易に微調整できるとともに、繰り返しの使用、衝撃などにも耐久性を備え、しかも、組み立てが容易で、外観品質も良好で、コストも低減した装身具の中留構造を提供することを目的とする。
【００１３】
【課題を解決するための手段】
本発明は、前述したような従来技術における課題および目的を達成するために発明なされたものであって、本発明の装身具の中留構造は、装身具の一方の端部に連結されるとともに、前記装身具の短手方向に突出したプッシュボタンのボタン側係合部と、
前記装身具の他方の端部に連結された係合部とを備え、
前記プッシュボタンのボタン側係合部と、前記装身具の他方の端部に連結された係合部との係合により、前記装身具を所定の長さに設定するとともに、
前記プッシュボタンの押圧操作により、前記ボタン側係合部と前記装身具の他方の端部に連結された係合部との係合を解除する中留構造を備え、
前記中留構造に、装身具の長さの微調整を行う装身具長さ微調整手段を設けた装身具の中留構造であって、
前記中留構造が、
前記一対のプッシュボタンを、その装身具の短手方向に形成されたプッシュボタン開口部から、プッシュボタンを出没可能に収容するプッシュボタン保持部材と、
前記プッシュボタンが、前記プッシュボタン保持部材から抜け落ちるのを防止する抜け止め手段とを備え、
前記装身具長さ微調整手段が、
前記プッシュボタンの操作と連動して、前記装身具の短手方向に摺動可能なボタン側係合手段と、
前記ボタン側係合手段と係合可能なスライド板とを備え、
前記中留構造と前記装身具長さ微調整手段とを、装身具の中留本体に取り付けたことを特徴とする。
【００１４】
また、本発明の装身具の中留構造は、装身具の一方の端部に連結されるとともに、前記装身具の短手方向に突出したプッシュボタンのボタン側係合部と、
前記装身具の他方の端部に形成された係止孔と、
前記プッシュボタンを収容する中留枠と、
前記中留枠とともに前記装身具の他方の端部を挿通する開口部を形成するとともに、この開口部に挿入された前記装身具の他方の端部の係止孔に係脱可能に係止する突棒を有する表板とを備え、
前記プッシュボタンのボタン側係合部と、前記突棒との係合により、前記装身具を所定の長さに設定するとともに、
前記プッシュボタンの押圧操作により、前記ボタン側係合部と前記突棒との係合を解除する中留構造を備え、
前記中留構造に、装身具の長さの微調整を行う装身具長さ微調整手段を設けた装身具の中留構造であって、
前記中留構造が、
前記一対のプッシュボタンを、その装身具の短手方向に形成されたプッシュボタン開口部から、プッシュボタンを出没可能に収容するプッシュボタン保持部材と、
前記プッシュボタンが、前記プッシュボタン保持部材から抜け落ちるのを防止する抜け止め手段とを備え、
前記装身具長さ微調整手段が、
前記プッシュボタンの操作と連動して、前記装身具の短手方向に摺動可能なボタン側係合手段と、
前記ボタン側係合手段と係合可能なスライド板とを備え、
前記中留構造と前記装身具長さ微調整手段とを、装身具の中留本体に取り付けたことを特徴とする。
【００１５】
このように構成することによって、プッシュボタン操作による中留構造と装身具長さ微調整手段の一体化を図ることが可能になる。そして、プッシュボタンを操作して、または操作することなしに、ボタン側係合手段をスライド板より外して、スライド板を移動して所定の長さの調整後に、プッシュボタンのボタン側係合手段をスライド板に係合して、装身具長さの微調整を行なうことで、朝夕で僅かに異なる手首等の微妙な太さの変化にも追従して、装身具の長さを容易に微調整できる。
【００１６】
しかも、中留構造が、一対のプッシュボタンと、その装身具の短手方向に形成されたプッシュボタン開口部から、プッシュボタンを出没可能に収容するプッシュボタン保持部材と、プッシュボタンがプッシュボタン保持部材から抜け落ちるのを防止する抜け止め手段とを備えており、一体化されているので、繰り返しの使用、衝撃などにも耐久性を備え、しかも、中留本体への取り付け、組み立てが容易である。また、従来のようにピンなどのかしめによる中留本体への取り付け作業が不要であり、中留本体を傷つけることがなく、外観品質も良好で、コストも低減する。
【００１７】
また、本発明の装身具の中留構造は、前記スライド板が、前記装身具の一端に連結されるとともに、装身具の長手方向に摺動可能に構成され、
前記スライド板が、前記ボタン側係合手段が係脱可能に係合するスライド板側係合手段を備えることを特徴とする。
これにより、プッシュボタンを操作して、または操作することなしに、ボタン側係合手段をスライド板側係合手段より外して、スライド板を移動して所定の長さの調整後に、プッシュボタンのボタン側係合手段をスライド板側係合手段に係合し装身具長さの微調整を行なうことで、朝夕で僅かに異なる手首等の微妙な太さの変化にも追従して、装身具の長さを容易に微調整できる。
【００１８】
また、本発明の装身具の中留構造は、前記スライド板が、前記プッシュボタンと重なり合うように配置されていることを特徴とする。
このように構成することによって、中留構造の装身具短手方向の幅、装身具長手方向の長さを短くすることができて、中留構造の小型化を図ることができる。また、本発明の装身具の中留構造は、前記プッシュボタンのボタン側係合手段が、スライド板側に突出する係合突出部であり、
前記スライド板側係合手段が、前記スライド板に設けた開口部の装身具長手方向に沿った少なくとも一辺の縁部に形成されるとともに、前記プッシュボタンの係合突出部が係脱可能に係合する係合歯部であることを特徴とする。
【００１９】
これにより、プッシュボタンの係合突出部とスライド板の係合歯部との係合が、プッシュボタンとスライド板の中留構造からの抜け止めと、装身具長さ微調整における係合を兼ねるようになり、スライド板以外に何ら部品点数を増やすことなく、安価に、プッシュボタン操作による中留構造に装身具長さ微調整手段を一体化することができる。
【００２０】
また、スライド板の係合歯部の歯形状を細かくすればするほど、スライド板をわずかに動かしても、その都度、係合歯部に係合できるので、より微妙な装身具長さ微調整ができる。そして、スライド板の係合歯部の歯形状は、機械加工の限界内でいくらでも細かくすることができるので、プッシュボタン操作による中留構造に一体化された装身具長さ微調整手段は、朝夕でわずかに変わるユーザーの手首等の太さの変化にも追従する、極めてわずかな微調整が可能となる。
【００２１】
また、本発明の装身具の中留構造は、前記スライド板の係合歯部の歯形状が、平面視でラチェット歯、山歯、谷歯、方形歯のいずれか１つであることを特徴とする。
このように構成することにより、歯形状を選択することにより、ユーザーの用途に応じて装身具長さ微調整手段を種々様々に変化させることができる。
【００２２】
すなわち、係合歯部の歯形状をラチェット歯にすると、スライド板は、プッシュボタンの係合突出部との係合により一方向にはロックされるが、他方向には自由に動けるようになる。
従って、例えば、装身具を伸ばしたい場合には、プッシュボタンを押圧して、スライド板の係合歯部のラチェット歯とプッシュボタンの係合突出部との係合を解除しながら装身具を引っ張り、スライド板を移動させて装身具を伸ばすことができる。また、装身具を縮めたい場合には、プッシュボタンを操作することなく、装身具を押し込んで縮めることができるように設定することができる。
【００２３】
また、ユーザーがプッシュボタンを操作しない限り、スライド板の係合歯部のラチェット歯とプッシュボタンの係合突出部との係合が解除されず、装身具は伸びることがないので、ユーザーの意図に反して不用意に装身具が伸びて手首より脱落することがない。しかも、装身具を縮めたい場合は、装身具を押し込むだけで、スライド板の係合歯部のラチェット歯とプッシュボタンの係合突出部との係合が解除されて、簡単に縮めることができるようになる。
【００２４】
また、係合歯部の歯形状を山歯、谷歯のいずれかにすると、装身具を引っ張る、または押し込むことにより、プッシュボタンを何ら操作することなくスライド板を移動させることができるので、装身具を伸ばす、または縮める場合双方とも、容易に装身具長さの微調整ができるようになる。
また、係合歯部の歯形状を方形歯にすると、装身具を伸ばす、または縮める場合双方とも、プッシュボタンを押圧させるように設定することができる。
【００２５】
また、本発明の装身具の中留構造は、前記スライド板の係合歯部の歯形状が、互いに向きが逆のラチェット歯をそれぞれ装身具長手方向に複数並べて構成したことを特徴とする。
このように、ラチェット歯の歯の向きを逆にすれば、装身具を縮めたい場合にのみ、プッシュボタンを押圧させるように設定することができる。
【００２６】
また、係合歯部を、互いに向きが逆のラチェット歯をそれぞれ装身具長手方向に複数並べて構成すれば、一方のプッシュボタンを押圧すれば、装身具を伸ばす（または縮める）ことができ、他方のプッシュボタンを押圧すれば、装身具を縮める（または伸ばす）ことができるようになり、ユーザーが、プッシュボタンのいずれかを選んで押圧し、装身具を伸ばしたり縮めたりするように設定することができる。
【００２７】
また、本発明の装身具の中留構造は、前記プッシュボタンのボタン側係合手段が、前記プッシュボタン保持部材の前記スライド板側に形成されたスリット開口部を介して、その上方係合部が突出するととともに、相互に離間する方向に付勢部材によって付勢された一対の断面略Ｌ字形状の係合突出部であることを特徴とする。
【００２８】
このように構成することによって、プッシュボタンのボタン側係合手段が、プッシュボタンとは別体の係合突出部で形成されているので、従来のように、プッシュボタンを折曲加工、溶接など特殊な加工が不要で、コストも低減できる。
しかも、断面略Ｌ字形状の係合突出部の下方部が、スリット開口部内に位置して、相互に離間する方向に付勢部材によって付勢されていることになるので、この係合突出部が、プッシュボタン保持部材のスリット開口部から抜け落ちることがない。
【００２９】
従って、長年の繰り返し使用や、衝撃などによっても、係合突出部が破損、損傷して、腕時計が使用者の手首から抜け落ちてしまうおそれがない。
また、本発明の装身具の中留構造は、前記プッシュボタンの係合突出部の下方係合部が、前記プッシュボタンの前記スリット開口部側に装身具の長手方向に突出したボタン側係合手段保持用突出部の内端側に当接し、
前記プッシュボタンの押圧操作と連動して、前記プッシュボタンの係合突出部が、前記プッシュボタン保持部材のスリット開口部内を、装身具の短手方向に摺動するように構成されていることを特徴とする。
【００３０】
このように構成することによって、プッシュボタンの係合突出部の下方係合部が、プッシュボタンのスリット開口部側に装身具の長手方向に突出したボタン側係合手段保持用突出部の内端側に当接する。
従って、プッシュボタンの押圧操作によって、相互に離間する方向に付勢部材によって付勢された一対の断面略Ｌ字形状の係合突出部を、この付勢部材の付勢力に抗して、プッシュボタン保持部材のスリット開口部内を、装身具の短手方向に摺動させることができ、スライド板との係合を解除して、装身具の長さを微調整することができる。
【００３１】
また、本発明の装身具の中留構造は、前記装身具の中留本体が、断面が略コの字形状で、前記装身具の長手方向の両側壁に、前記プッシュボタンのボタン操作部が突出するボタン用窓部が形成されており、
前記プッシュボタンのボタン操作部を、前記プッシュボタン保持部材のプッシュボタン開口部内に押し込んだ状態で、前記ボタン用窓部内に前記プッシュボタンのボタン操作部を取り付けることによって、前記中留構造を前記装身具の中留本体に取り付けるように構成したことを特徴とする。
【００３２】
このように構成することによって、プッシュボタンのボタン操作部を、プッシュボタン保持部材のプッシュボタン開口部内に押し込んだ状態で、ボタン用窓部に位置するように配置して、プッシュボタンのボタン操作部の押圧を解除するだけで、ボタン用窓部内にプッシュボタンのボタン操作部を取り付けることができるので、組み立てが容易で、従来のようにピンなどのかしめによる中留本体への取り付け作業が不要であり、中留本体を傷つけることがなく、外観品質も良好で、コストも低減する。
【００３３】
また、本発明の装身具の中留構造は、前記抜け止め手段が、前記プッシュボタン保持部材内に、前記一対のプッシュボタンと重ね合わせて装着された抜け止め板であり、
前記抜け止め板が、前記スリット開口部と反対側に板厚方向に前記プッシュボタン側に突設した一対の係止突設片を備え、
前記プッシュボタンが、前記プッシュボタンの前記スリット開口部と反対側に、装身具の長手方向に突出した突設部を備え、
前記抜け止め板の係止突設片の内側端が、前記プッシュボタンの突設部の外端に当接することによって、前記プッシュボタンが、前記プッシュボタン保持部材から抜け落ちるのを防止するように構成されていることを特徴とする。
【００３４】
このように構成することによって、抜け止め板の係止突設片の内側端が、プッシュボタンの突設部の外端に当接することによって、プッシュボタンが、プッシュボタン保持部材から抜け落ちるのを防止でき、プッシュボタン保持部材との一体化を保持することができる。従って、繰り返しの使用、衝撃などにも耐久性を備え、しかも、中留本体への取り付け、組み立てが容易となる。
【００３５】
また、本発明の装身具の中留構造は、前記装身具の他方の端部に連結された係合部が、係合突起部であり、
前記プッシュボタン保持部材に、前記装身具の他方の端部に連結された係合部の係合突起が嵌入する嵌入孔が形成され、
前記抜き止め板に、前記装身具の他方の端部に連結された係合部の係合突起が嵌入する嵌入孔が形成されるとともに、
前記一対のプッシュボタンの装身具の短手方向の内端にそれぞれ形成された係合端の間で、前記装身具の他方の端部に連結された係合部の係合突起を、着脱自在に係止するように構成したことを特徴とする。
【００３６】
また、本発明の装身具の中留構造は、前記プッシュボタン保持部材に、前記表板の突棒が嵌入する嵌入孔が形成され、
前記抜き止め板に、前記表板の突棒が嵌入する嵌入孔が形成されるとともに、前記一対のプッシュボタンの装身具の短手方向の内端にそれぞれ形成された係合端の間で、前記表板の突棒を、着脱自在に係止するように構成したことを特徴とする。
【００３７】
このように構成することによって、装身具の他方の端部に連結された係合部の係合突起部、または、前記表板の突棒を、プッシュボタン保持部材の嵌入孔、抜き止め板の嵌入孔を介して、一対のプッシュボタンの装身具の短手方向の内端にそれぞれ形成された係合端の間で着脱自在に係止できる。
従って、プッシュボタンのボタン側係合部と、装身具の他方の端部に連結された係合部の係合突起との係合により、例えば、時計バンドを手首に装着して、装身具を所定の長さに設定することができる。
【００３８】
また、本発明の装身具の中留構造は、前記中留構造が、両プッシュ中留構成または片プッシュ中留構成であることを特徴とする。
また、本発明の装身具の中留構造は、前記装身具の他方の端部に連結された係合部が、中折れ部材に設けた中折れ部材側係合部であることを特徴とする。
また、本発明の装身具の中留構造は、  前記中折れ部材が、複数折れ構成であることを特徴とする。
【００３９】
また、本発明の装身具の中留構造は、前記中折れ部材が、観音開き構成であることを特徴とする。
また、本発明の装身具の中留構造は、前記中留構造をシングル・ロックタイプの装身具構成に設けたことを特徴とする。
このように構成することによって、プッシュボタン操作による中留構造に装身具長さ微調整手段を一体化することができ、装身具長さの微調整を容易に行うことができる。
【００４０】
また、本発明の装身具の中留構造は前記装身具の中留本体の前記装身具の長手方向の両側壁に形成されたボタン用窓部の周辺部が、内側に傾斜して形成したさらい部が形成されていることを特徴とする。
このように構成することによって、さらい部によって、ボタン用窓部から突出するプッシュボタンのボタン操作部が外部から見えにくくなり、外観の品質が向上するとともに、プッシュボタンの押圧操作の操作性が向上する。
【００４１】
【発明の実施の形態】
以下、図面を参照しながら本発明の実施の形態（実施例）について説明する。本発明の装身具の中留構造を、時計バンド構造の中留構造に適用した実施例について、図１から図１１を参照して以下に詳細に説明する。
図１は、本発明の第１の実施例の装身具の中留構造の一部省略した斜視図、図２は、図１の中留構造の分解状態の斜視図、図３は、図１の中留構造の装身具長手方向の縦断面図、図４は、図３のＡ−Ａ線に沿う断面図、図５（Ａ）は、中留枠の表側から見た斜視図、図５（Ｂ）は、中留枠の裏側から見た斜視図、図６は、プッシュボタン保持部材の斜視図、図７は、スライド板の斜視図、図８は、プッシュボタンの斜視図、図９は、抜け止め板の斜視図、図１０は、係合突出部の斜視図、図１１は、本発明のプッシュボタン保持体１７ａを一体化する状態を説明する斜視図である。
【００４２】
装身具である時計バンド構造は、図１に示したように、腕時計（図示せず）の一方のバンド取付部（図示せず）に連結された時計バンド１と、腕時計の他方のバンド取付部（図示せず）に連結された時計バンド２と、中折れ部材５と、バンド長さ微調整手段（装身具長さ微調整手段）を備えた中留構造６とから構成されている。
【００４３】
そして、中折れ部材５は、中板３と、この中板３の端部に回動可能に連結された外板４とから構成されている。中板３の端部には、連結ピン保持部７、８が形成されており、中板３の表側には、中折れ部材側係合部である係合爪９が植設されている。この係合爪９は、図２および図３に示したように、軸部９ａの端部に傘部９ｂを形成して、この軸部９ａの部分が係止部にされているとともに、傘部９ｂが抜け止め防止部となっている。
【００４４】
また、外板４は、中板３が挿入される挿入孔部１０を有する枠状体であり、その一端部に一対の連結片部１１を、他端部に連結ピン保持部１２をそれぞれ備えており、連結片部１１の対向面には係止孔１１ａが形成されている。
そして、中板３は、その連結ピン保持部７が保持した連結ピン１３を、時計バンド１の端部の連かん駒１４に回転可能に係合して、この時計バンド１に連結されている。また、中板３の他端部は、その連結ピン保持部８が保持した連結ピン１５を、外板４の連結片部１１の係止孔１１ａに回転可能に係合して、この外板４に連結されている。
【００４５】
一方、中留構造６は、図２に示したように、中留枠１６と、プッシュボタン保持部材１７と、スライド板１８と、プッシュボタン１９、２０と、２個のスプリングからなる付勢部材３１ａ、３１ｂとから構成されている。
そして、中留枠１６は、図２および図５に示したように、表面部１６ａが曲面に成された枠本体２２を備えており、この枠本体２２のバンド短手方向の両端部には、互いに対向する端壁部２２ａ、２２ｂが形成されている。
【００４６】
これらの端壁部２２ａ、２２ｂの中央部には、ボタン用窓部２３が形成されている。また、端壁部２２ａ、２２ｂの一端側には、それぞれピン孔２７が形成されている。
また、プッシュボタン保持部材１７は、図２および図６に示したように、略矩形筒状の部材本体２８を備えている。
【００４７】
すなわち、この部材本体２８は、底面部２８ａのバンド長手方向の一方の端部を立ち上げた後に、底面部２８ａと平行に折り曲げられて、折曲げ部２９ａが形成されている。また、部材本体２８は、底面部２８ａのバンド長手方向の他方の端部２９ｂの両端部２９ｃを立ち上げた後に、その先端部２９ｄが、底面部２８ａと平行に折り曲げられている。これらの折曲げ部２９ａ、２９ｄで、プッシュボタン保持部材１７の上面２８ｂを形成している。
これによって、図６に示したように、プッシュボタン保持部材１７には、そのスライド板側の上面の２８ｂには、スリット開口部２８ｃが形成されている。また、これらの底面部２８ａと、折曲げ部２９ａ、２９ｃ、２９ｄとで囲まれており、これによって、バンド短手方向に沿った断面略矩形の空間としてのボタン挿入孔Ｈが形成されている。また、部材本体２８の底面部２８ａの中央部には孔部３３が形成され、折曲げ部２９ａの中央部には、嵌入孔３０が形成されており、それぞれ中折れ部材５の中板３の係合爪９が嵌入するようになっている。
【００４８】
また、スライド板１８は、図２および図７に示したように、板本体３５を備えており、この板本体３５には開口部３６が形成されており、この開口部３６の両側縁部には、バンド長手方向に、係合歯部を構成する複数のラチェット歯３７が形成されており、これらのラチェット歯３７がスライド板側係合手段を構成している。この場合、ラチェット歯３７は、その係止側部３７ａが、時計バンド２側に向けて形成されている。また、板本体３５の右端部には、ピン孔３６ａを有するピン連結部３６ｂが一対形成されている。
【００４９】
一方、プッシュボタン１９、２０は、図２および図８に示したように、端部にボタン操作部３８ａを形成したボタン本体３８を備えている。
このボタン本体３８の先部の一側には、切欠き部３９が形成されており、この切欠き部３９の先側に、円弧形状の係合部４０が形成されている。このプッシュボタン１９、２０の係合部４０は互いに対向していて、これらでボタン側係合部を構成している。
【００５０】
また、ボタン本体３８には、その基端側に、プッシュボタン保持部材１７のスリット開口部２８ｃの側に、装身具の長手方向に突出したボタン側係合手段保持用突出部であるばね受け部３９ａが形成されている。
また、プッシュボタン１９のボタン本体３８の基端側には、ばね受け部３９ｂが形成されるとともに、プッシュボタン２０のボタン本体３８の先端側には、ばね受け部３９ｃが形成されている。そして、これらのばね受け部３９ｂとばね受け部３９ｃとの間に、コイルスプリングなどの付勢部材３１ａが介装されており、これによって、プッシュボタン１９とプッシュボタン２０が相互に離間する方向に付勢されている。
【００５１】
さらに、プッシュボタン１９、２０のばね受け部３９ａの間には、一対の断面略Ｌ字形状の係合突出部３２、３２が、プッシュボタン保持部材１７のスリット開口部２８ｃ内に、その下方係合部３２ａが、ばね受け部３９ａの内端に当接するように配設されている。そして、これらの係合突出部３２、３２の間に、コイルスプリングなどの付勢部材３１ｂが、係合突出部３２の下方係合部３２ａに形成された付勢部材用小孔３２ｂに介装されている。これにより、これらの係合突出部３２、３２が、相互に離間する方向に付勢されているとともに、プッシュボタン１９とプッシュボタン２０が、相互に離間する方向に付勢されている。
【００５２】
また、この係合突出部３２は、プッシュボタン保持部材１７のスリット開口部２８ｃを介して、その上方係合部３２ｃが突出しており、これがプッシュボタンの係合突出部であるボタン側係合手段を構成している。
このように構成することによって、プッシュボタン１９、２０の押圧操作と連動して、プッシュボタンの係合突出部３２が、プッシュボタン保持部材１７のスリット開口部２８ｃ内を、装身具の短手方向に摺動するように構成されている。また、プッシュボタン１９、２０のボタン本体３８にはそれぞれ、プッシュボタン保持部材１７のスリット開口部２８ｃと反対側に、装身具の長手方向に突出した抜け止め防止用の突設部３４ａ、３４ｂを備えている。
【００５３】
一方、図２および図３に示したように、プッシュボタン１９、２０のボタン本体３８の下面、すなわち、プッシュボタン保持部材１７の底面部２８ａ側には、抜け止め手段としての抜け止め板４１が、プッシュボタン保持部材１７内に、一対のプッシュボタン１９、２０と重ね合わせて装着されている。
この抜け止め板４１は、図９に示したように、略矩形状であり、プッシュボタン保持部材１７のスリット開口部２８ｃ側と反対側に、板厚方向にプッシュボタン１９、２０側に突設した一対の抜け止め防止用の係止突設片４１ａを備えている。
【００５４】
すなわち、これらの係止突設片４１ａの内側端が、プッシュボタン１９、２０の抜け止め防止用の突設部３４ａ、３４ｂの外端に当接することによって、プッシュボタン１９、２０が、プッシュボタン保持部材１７のボタン挿入孔Ｈから抜け落ちるのを防止するように構成されている。
また、この抜け止め板４１には、図９に示したように、プッシュボタン保持部材１７のスリット開口部２８ｃ側に、このスリット開口部２８ｃに対応して、切欠部４１ｂが形成されている。この抜け止め板４１の切欠部４１ｂは、プッシュボタン１９、２０のばね受け部３９ａとともに、コイルスプリングなどの付勢部材３１ｂによって相互に離間する方向に付勢された係合突出部３２の下方係合部３２ａが当接するように構成されている。
【００５５】
そして、プッシュボタン保持部材１７の折曲げ部２９ａ、２９ｂが、中留枠１６の端壁部２２ａ、２２ｂ間に挿入されていて、ボタン挿入孔Ｈの開口部とボタン用窓部２３が一致するようになっている。プッシュボタン保持部材１７の折曲げ部２９ａ、２９ｄと、中留枠１６の枠本体２２との間に隙間４２が形成されている。
【００５６】
そして、この隙間４２に、スライド板１８がバンド長手方向に移動可能に挿入されている。また、プッシュボタン保持部材１７のボタン挿入孔Ｈには、一端側から一方のプッシュボタン１９が、他端側から他方のプッシュボタン２０がそれぞれ挿入されている。
また、係合突出部３２の上方係合部３２ｃが、プッシュボタン保持部材１７のスリット開口部２８ｃから突出して、スライド板１８の係合用開口部３６内に突入している。
【００５７】
そして、プッシュボタン１９、２０は、そのボタン本体３８には、ばね受け部３９ｂとばね受け部３９ｃとの間に介装された付勢部材３１ａによって、プッシュボタン１９、２０は互いに離間する方向に付勢されている。また、係合突出部３２、３２の間に介装された付勢部材３１ｂの付勢力により、この係合突出部３２、３２から、プッシュボタン１９、２０のばね受け部３９ａを介して、プッシュボタン１９、２０は互いに離間する方向に付勢されている。
【００５８】
また、係合突出部３２、３２の間に介装された付勢部材３１ｂの付勢力によって、これらの係合突出部３２、３２はそれぞれ、スライド板１８のラチェット歯３７に係合している。従って、スライド板１８は、隙間４２内に抜けないように係止される。
また、プッシュボタン２０のボタン操作部３８ａが、ボタン用窓部２３より外方に突出している。この場合、図５に示したように、中留枠１６の枠本体２２の端壁部２２ａ、２２ｂのボタン用窓部２３の周辺部が、内側に傾斜して形成したさらい部２３ａが形成されている。このようにさらい部２３ａを設けることによって、さらい部２３ａによって、ボタン用窓部２３から突出するプッシュボタン１９、２０のボタン操作部３８ａが外部から見えにくくなり、外観の品質が向上するとともに、プッシュボタンの押圧操作の操作性が向上する。
【００５９】
このように構成される中留構造６では、プッシュボタン保持部材１７は、例えば、図１１の一点鎖線に示したように、プッシュボタン保持部材１７の部材本体２８の一方の折曲げ部２９ｄを開いた状態で、スライド板１８、プッシュボタン１９、２０、付勢部材３１ａ、３１ｂ、係合突出部３２、３２を、プッシュボタン保持部材１７に組み込んで、開いた状態の折曲げ部２９ｄを折り曲げることによって一体化して、プッシュボタン保持体１７ａを形成することができる。
【００６０】
このように一体化したプッシュボタン保持体１７ａは、プッシュボタン１９、２０のボタン操作部３８ａを、プッシュボタン保持部材１７のボタン挿入孔Ｈ内に押し込んだ状態で、中留枠１６のボタン用窓部２３内にプッシュボタン１９、２０のボタン操作部３８ａを取り付けることによって、装身具の中留枠１６に取り付けることができるようになっている。
【００６１】
このように構成された中留構造６は、中留枠１６の端壁部２２ａ、２２ｂのピン孔２７に、外板４の連結ピン保持部１２に保持された連結ピン４３を係止して外板４に連結されている。また、中留構造６は、スライド板１８のピン連結部３６ｂのピン孔３６ａに、時計バンド２の端部の連かん駒４４が保持した連結ピン４５を係止して時計バンド２に連結されている。
【００６２】
次に、このように構成された本発明の時計バンド構造の装着およびこの装着の解除とバンド長さの微調整操作を説明する。
まず、時計バンドに手首を通した後に、中板３を外板４側に折り畳んで、この中板３を外板４の挿入孔部１０に挿入する。この際、中板３に設けた中折れ部材側係合部である係合爪９を、プッシュボタン保持部材１７の底面部２８ａの孔部３３に挿入して、この係合爪９を、ボタン側係合部、すなわち、プッシュボタン１９、２０の互いに対向する係合部４０、４０に係合して、時計バンドを手首に装着する。
【００６３】
この場合、係合爪９の係合部４０への係合は、この係合爪９の端部の傘部９ｂで、プッシュボタン１９、２０の係合部４０間を、バンド短手方向に互いに離間するように押開き、係合爪９の軸部９ａが挿入されると、プッシュボタン１９、２０の係合部４０が、付勢部材３１ａ、３１ｂの付勢力により閉じて、係合爪９の軸部９ａに係止することで行われる。
【００６４】
また、時計バンドを手首から外す場合には、プッシュボタン１９、２０のボタン操作部３８ａを、親指と人差し指で挟んで内側に押すことにより、プッシュボタン１９、２０を、付勢部材３１ａ、３１ｂに抗して移動させる。これにより、係合部４０間を開いて係合を解除し、中板３を外に開いて、外板４の挿入孔部１０より抜き出し、時計バンドを拡開すればよい。
【００６５】
また、スライド板１８にラチェット歯３７が、その係止側部３７ａを、時計バンド２側に向けて形成されているために、時計バンドを縮める方向に、すなわち、時計バンド１側に向けてスライド板１８を移動させることができるように構成されている。
すなわち、スライド板１８は、時計バンドを縮める方向に移動して、ラチェット歯３７が、係合突出部３２、３２の上方係合部３２ｃ上を滑り、スライド板１８の移動を止めると、ラチェット歯３７に係合突出部３２、３２の上方係合部３２ｃが係合して、時計バンドを縮める方向にバンド長さの微調整（例えば、約１．３ｍｍピッチで５ｍｍ程度）を行うことができるようになっている。
【００６６】
また、時計バンドを伸ばす方向にバンド長さの微調整（例えば、約１．３ｍｍピッチで５ｍｍ程度）を行う場合には、プッシュボタン１９、２０のボタン操作部３８ａを親指と人差し指で挟んで内側に押さなければならない。これは、ラチェット歯３７の係止側部３７ａが、時計バンド２側に向けて形成されているために、時計バンド１と離間する方向に時計バンド２を引っ張っても、係止側部３７ａと係合突出部３２、３２の上方係合部３２ｃとの係合が維持されたままであり、スライド板１８が移動しないためである。
【００６７】
従って、時計バンドを伸ばす方向にバンド長さの微調整を行う場合には、プッシュボタン１９、２０のボタン操作部３８ａを押すことにより、プッシュボタン１９、２０を、付勢部材３１ａ、３１ｂに抗して相互に接近する方向に移動させて、係合突出部３２、３２をプッシュボタン保持部材１７のスリット開口部２８ｃ内を相互に接近する方向に移動させる。
【００６８】
これにより、係合突出部３２、３２を、スライド板１８のラチェット歯３７から外し、この状態を保持したままで、時計バンド１と離間する方向に時計バンド２を引っ張って、スライド板１８を移動させる。そして、所定の微調整後にプッシュボタン１９、２０のボタン操作部３８ａの押えを解除して、プッシュボタン１９、２０を、付勢部材３１ａ、３１ｂの付勢力により外方に移動して、係合突出部３２、３２の上方係合部３２ｃを、スライド板１８のラチェット歯３７に係合させて固定すればよい。
【００６９】
このように構成される本発明の実施例の装身具の中留構造によれば、プッシュボタン操作による中留構造６とバンド長さ微調整手段の一体化を図ることが可能になる。そして、バンド長さ微調整手段を、時計バンドの一端が固定され、バンド長手方向に滑動可能なスライド板１８を備え、このスライド板１８に、係合突出部３２、３２が係脱可能に係合するラチェット歯３７を設けて構成している。
【００７０】
これによって、プッシュボタン１９、２０を操作して、または操作することなしに、係合突出部３２、３２をラチェット歯３７より外して、スライド板１８を移動して所定の長さの調整後に、係合突出部３２、３２をラチェット歯３７に係合しバンド長さの微調整を行なうことができる。
すなわち、手首の太さが僅かに変化した時は、プッシュボタン１９、２０を押圧して段階的に微調整を行い、腕時計を手首から外すこと無く、最も適当な装着感を得ることができる。
【００７１】
また、スライド板１８、プッシュボタン１９、２０、付勢部材３１ａ、３１ｂ、係合突出部３２、３２を、プッシュボタン保持部材１７に組み込んで一体化して、プッシュボタン保持体１７ａを形成することができる。そして、このように一体化したプッシュボタン保持体１７ａを、プッシュボタン１９、２０のボタン操作部３８ａを、プッシュボタン保持部材１７のボタン挿入孔Ｈ内に押し込んだ状態で、中留枠１６のボタン用窓部２３内にプッシュボタン１９、２０のボタン操作部３８ａを取り付けることによって、装身具の中留枠１６に簡単に取り付けることができる。
【００７２】
しかも、中留構造６が、一対のプッシュボタン１９、２０と、その装身具の短手方向に形成されたボタン挿入孔Ｈから、プッシュボタン１９、２０を出没可能に収容するプッシュボタン保持部材１７と、プッシュボタン１９、２０がプッシュボタン保持部材１７から抜け落ちるのを防止する抜け止め板４１を備えており、一体化されているので、繰り返しの使用、衝撃などにも耐久性を備え、しかも、中留本体への取り付け、組み立てが容易である。また、従来のようにピンなどのかしめによる中留本体への取り付け作業が不要であり、中留本体を傷つけることがなく、外観品質も良好で、コストも低減する。
【００７３】
なお、この実施例では、スライド板１８の係合歯部をラチェット歯３７の歯形状にしたが、図１２に示したように、この歯形状を、平面視で、図１２（Ａ）に示すように、山歯３７ｂの形状、図１２（Ｂ）に示したように、谷歯３７ｃの形状、図１２（Ｃ）に示したように、方形歯３７ｄの形状とすることができる。  このように、歯形状を選択することにより、ユーザーの用途に応じて装身具長さ微調整手段を種々様々に変化させることができる。
【００７４】
すなわち、係合歯部の歯形状を山歯、谷歯のいずれかにすると、装身具を引っ張る、または押し込むことにより、プッシュボタンを何ら操作することなくスライド板を移動させることができるので、装身具を伸ばす、または縮める場合双方とも、容易に装身具長さの微調整ができるようになる。
また、係合歯部の歯形状を方形歯にすると、装身具を伸ばす、または縮める場合双方とも、プッシュボタンを押圧させるように設定することができる。
【００７５】
さらに、図１２（Ｂ）に示したように、スライド板１８の先端部に開口部３７ｆを設けることによって、スライド板１８にバネ性（弾力性）を持たせることができ、中留枠１６の内壁とスライド板１８とのガタツキなどを防止することができる。これによって、スライド板１８をスムーズに摺動させることができる。
なお、この実施例では、図１２（Ｂ）のスライド板１８の先端部に開口部３７ｆを設けたが、いずれのスライド板１８にも、先端部に開口部３７ｆを設けることができる。
【００７６】
また、特に、装身具の長さを短くする方向には、スライド板１８をプッシュボタンを何ら押圧することなく操作でき、装身具の長さを長くするためにプッシュボタンを押圧操作する必要があるタイプの構造のスライド板１８に、このような開口部３７ｆを設けることによって、スライド操作がより安定的に行なうことができる。
【００７７】
また、この場合、図１２（Ｄ）に示したように、スライド板１８の係合歯部の歯形状が、互いに向きが逆のラチェット歯３７ｅをそれぞれ装身具長手方向に複数並べて構成してもよい。
このように、ラチェット歯の歯の向きを逆にすれば、装身具を縮めたい場合にのみ、プッシュボタンを押圧させるように設定することができる。
【００７８】
また、係合歯部を、互いに向きが逆のラチェット歯をそれぞれ装身具長手方向に複数並べて構成すれば、一方のプッシュボタンを押圧すれば、装身具を伸ばす（または縮める）ことができ、他方のプッシュボタンを押圧すれば、装身具を縮める（または伸ばす）ことができるようになり、ユーザーが、プッシュボタンのいずれかを選んで押圧し、装身具を伸ばしたり縮めたりするように設定することができる。
【００７９】
図１３は、本発明の第２の実施例の装身具の中留構造の分解状態の斜視図である。
この実施例の中留構造６は、基本的には、上記の第１の実施例の中留構造６と基本的には、同様な構成であり、同じ構成部材には同じ参照番号を付してその詳細な説明を省略する。
【００８０】
上記の第１の実施例の中留構造６では、三つ折り構成の中折れ部材５に装着されているが、この実施例の中留構造６では、図１３に示したように、観音開き構成である中折れ部材５に装着している。
すなわち、この観音開き構成である中折れ部材５は、中折れ部材側係合部である係合爪９を有する中間板５０の一端部に、一方の開閉板５１の一端部を、中間板５０の他端部に、他方の開閉板５２の一端部をそれぞれ枢着して構成してある。
【００８１】
このような観音開き構成の中折れ部材５に、中留構造６および時計バンド１、２を連結するには、一方の開閉板５１の他端部を、中留構造６の中留枠１６のピン孔５７Ａにピン５８により枢着している。また、この中留構造６のスライド板１８の接続端部に、時計バンド１の端部の連かん駒１４を連結し、他方の開閉板５２の他端部を、時計バンド２に端部の連かん駒４４を連結することによって行われる。
【００８２】
このような構造の時計バンド構造の装着およびこの装着の解除とバンド長さの微調整操作は、手首に装着およびこの装着の解除する操作以外は、上記の第１の実施例とほぼ同様に行うことができるとともに、同様な作用効果を奏することができる。
すなわち、手首に装着する際には、時計バンド構造に手首を通した後に、他方の開閉板５２を中間板５０側に折り畳み、次に、一方の開閉板５１を中間板５０側に折り畳んで、係合爪９を、プッシュボタン保持部材１７の底面部２８ａの孔部３３に挿入して、この係合爪９をボタン側係合部、すなわち、プッシュボタン１９、２０に対向する係合部４０、４０に係合して、計バンド構造を手首に装着すればよく、この装着の解除は、この操作を逆にすればよい。
【００８３】
図１４は、本発明の第３の実施例の装身具の中留構造の分解状態の斜視図である。
この実施例の中留構造６は、基本的には、上記の第１の実施例の中留構造６と基本的には、同様な構成であり、同じ構成部材には同じ参照番号を付してその詳細な説明を省略する。
【００８４】
この実施例の中留構造６では、時計バンド構造にシングル・ロックタイプの中留構造を使用している。
すなわち、中留枠６０は、枠本体６０Ａを有しており、この枠本体６０Ａのバンド短手方向の両端部には、互いに対向する端壁部６０Ｂ、６０Ｃが形成してある。これらの端壁部６０Ｂ、６０Ｃには、その中央部に、ボタン用窓部６２が形成されており、端壁部６０Ｂ、６０Ｃ間がプッシュボタン保持部材装着部にしてある。また、枠本体６０Ａの表面部には凹部６１が形成されており、この凹部６１には孔部６３が設けられている。
【００８５】
また、中留枠６０の端部には、表板７２が枢着されており、この表板７２に、中折れ部材側係合部である係合爪７３が設けられている。スライド板１８の連結部６７Ｃには、時計バンド１の端部の連かん駒１４が連結されており、時計バンド２の端部の連かん駒４４には、連結用バー部材７４が設けられている。
このような構造の時計バンド構造の装着およびこの装着の解除とバンド長さの微調整操作は、手首に装着およびこの装着の解除する操作以外は、上記の第１の実施例とほぼ同様に行うことができるとともに、同様な作用効果を奏することができる。
【００８６】
すなわち、手首に装着する際には、時計バンド構造を手首に沿わせた後に、連結用バー部材７４を表板７２に引っ掛けて、この表板７２を、その枢着部７２ａで折り畳んで、この表板７２の係合爪７３を、中留枠１６の上面に形成された孔部６３を介してプッシュボタン１９、２０の係合部４０に係合して、中留構造６を介して、時計バンド１と時計バンド２とを連結して、時計バンド構造を手首に装着すればよく、この装着の解除は、この操作を逆にすればよい。
【００８７】
図１５は、本発明の第４の実施例の装身具の中留構造の斜視図である。
この実施例の中留構造６は、基本的には、上記の第３の実施例の中留構造６と基本的には、同様な構成であり、同じ構成部材には同じ参照番号を付してその詳細な説明を省略する。
この実施例の中留構造６では、中留構造を装身具としてのブレスレッドタイプ、または皮バンドタイプの時計に組み込んだものである。この場合、上記第３の実施例と同様に、シングル・ロックタイプの中留構造を、装身具としてのベルトのバックル部８０に組み込んである。
【００８８】
このような構造の時計バンド構造の装着およびこの装着の解除とバンド長さの微調整操作は、上記の第３の実施例とほぼ同様に行なうことができるとともに、同様な作用効果を奏することができる。
すなわち、ベルト１を腰回りに装着する場合（ズボンをはく場合等）は、ベルト１を腰回りに沿わせて、ベルト１の先部を、表板８４と中留枠１６との間に形成されたベルト開口部８２に挿通する。そして、表板８４を中留枠１６に重ねることにより、表板８４に形成された突棒８６を、ベルト１の先部に形成された係止孔８８に挿入するとともに、中留枠１６の上面に形成された孔部６３を介してプッシュボタン１９、２０の係合部４０に係合してベルト１を中留機構６に連結すればよく、この装着の解除は、この操作を逆にすればよい。
【００８９】
以上、本発明の好ましい実施の態様を説明したが、本発明はこれに限定されるものではなく、例えば、上記実施例では、本発明の装身具の中留構造を、時計バンド構造の中留構造に適用した実施例を示したが、ブレスレッド等の手首に巻回される装身具、ネックレス等の首に巻回される装身具、ズボンのベルト等の腰に巻回される装身具、バック、鞄などのベルト部などその他の装身具にも適用できるなど本発明の目的を逸脱しない範囲で種々の変更が可能である。
【００９０】
【発明の効果】
本発明によれば、プッシュボタン操作による中留構造と装身具長さ微調整手段の一体化を図ることが可能になる。そして、プッシュボタンを操作して、または操作することなしに、ボタン側係合手段をスライド板より外して、スライド板を移動して所定の長さの調整後に、プッシュボタンのボタン側係合手段をスライド板に係合して、装身具長さの微調整を行なうことで、朝夕で僅かに異なる手首等の微妙な太さの変化にも追従して、装身具の長さを容易に微調整できる。
【００９１】
しかも、中留構造が、一対のプッシュボタンと、その装身具の短手方向に形成されたプッシュボタン開口部から、プッシュボタンを出没可能に収容するプッシュボタン保持部材と、プッシュボタンがプッシュボタン保持部材から抜け落ちるのを防止する抜け止め手段とを備えており、一体化されているので、繰り返しの使用、衝撃などにも耐久性を備え、しかも、中留本体への取り付け、組み立てが容易である。また、従来のようにピンなどのかしめによる中留本体への取り付け作業が不要であり、中留本体を傷つけることがなく、外観品質も良好で、コストも低減する。
【００９２】
また、本発明によれば、プッシュボタンのボタン側係合手段が、プッシュボタンとは別体の係合突出部で形成されているので、従来のように、プッシュボタンを折曲加工、溶接など特殊な加工が不要で、コストも低減できる。
しかも、断面略Ｌ字形状の係合突出部の下方部が、スリット開口部内に位置して、相互に離間する方向に付勢部材によって付勢されていることになるので、この係合突出部が、プッシュボタン保持部材のスリット開口部から抜け落ちることがない。
【００９３】
従って、長年の繰り返し使用や、衝撃などによっても、係合突出部が破損、損傷して、腕時計が使用者の手首から抜け落ちてしまうおそれがない。
また、本発明によれば、プッシュボタンのボタン操作部を、プッシュボタン保持部材のプッシュボタン開口部内に押し込んだ状態で、ボタン用窓部に位置するように配置して、プッシュボタンのボタン操作部の押圧を解除するだけで、ボタン用窓部内にプッシュボタンのボタン操作部を取り付けることができるので、組み立てが容易で、従来のようにピンなどのかしめによる中留本体への取り付け作業が不要であり、中留本体を傷つけることがなく、外観品質も良好で、コストも低減する。
【００９４】
さらに、本発明によれば、さらい部によって、ボタン用窓部から突出するプッシュボタンのボタン操作部が外部から見えにくくなり、外観の品質が向上するとともに、プッシュボタンの押圧操作の操作性が向上するなどの幾多の作用効果を奏する極めて優れた発明である。
【図面の簡単な説明】
【図１】図１は、本発明の第１の実施例の装身具の中留構造の一部省略した斜視図である。
【図２】図２は、図１の中留構造の分解状態の斜視図である。
【図３】図３は、図１の中留構造の装身具長手方向の縦断面図である。
【図４】図４は、図３のＡ−Ａ線に沿う断面図である。
【図５】図５は、中留枠の表側から見た斜視図である。
【図６】図６は、プッシュボタン保持部材の斜視図ある。
【図７】図７は、スライド板の斜視図である。
【図８】図８は、プッシュボタンの斜視図である。
【図９】図９は、抜け止め板の斜視図である。
【図１０】図１０は、係合突出部の斜視図である。
【図１１】図１１は、本発明のプッシュボタン保持体１７ａを一体化する状態を説明する斜視図である。
【図１２】図１２は、スライド板の別の実施例を示す上面図である。
【図１３】図１３は、本発明の第２の実施例の装身具の中留構造の分解状態の斜視図である。
【図１４】図１４は、本発明の第３の実施例の装身具の中留構造の分解状態の斜視図である。
【図１５】図１５は、本発明の第４の実施例の装身具の中留構造の斜視図である。
【図１６】図１６は、従来の装身具における長さ調整の説明のためのバンドの斜視図である。
【図１７】図１７は、従来の装身具における長さ調整の説明のためのバンドの斜視図である。
【図１８】図１８は、従来の装身具の中留構造の一部省略した斜視図である。
【符号の説明】
１        時計バンド
２        時計バンド
４        外板
５        中折れ部材
６        中留構造
７        連結ピン保持部
８        連結ピン保持部
９        係合爪
９ａ    軸部
９ｂ    傘部
１０    挿入孔部
１１ａ            係止孔
１１    連結片部
１２    連結ピン保持部
１３    連結ピン
１４    駒
１５    連結ピン
１６    中留枠
１６ａ            表面部
１７ａ            プッシュボタン保持体
１７    プッシュボタン保持部材
１８    スライド板
１９    プッシュボタン
２０    プッシュボタン
２１    スプリング
２２    枠本体
２２ａ            端壁部
２３    ボタン用窓部
２３ａ            さらい部
２４    座面部
２８ｃ            スリット開口部
２８    部材本体
２８ａ            底面部
２８ｂ            上面
２９ａ、２９ｂ、２９ｄ    折曲げ部
３０    嵌入孔
３１ａ            付勢部材
３１ｂ            付勢部材
３２ａ            下方係合部
３２ｂ            付勢部材用小孔
３２ｃ            上方係合部
３２    係合突出部
３３    孔部
３４ａ            突設部
３５    板本体
３６    係合用開口部
３６ａ            ピン孔
３６ｂ            ピン連結部
３７    ラチェット歯
３７ｅ            ラチェット歯
３７ａ            係止側部
３７ｂ            山歯
３７ｃ            谷歯
３７ｄ            方形歯
３８ａ            ボタン操作部
３８    ボタン本体
３９    切欠き部
３９ａ〜３９ｃ        ばね受け部
４０    係合部
４１ａ            係止突設片
４１ｂ            切欠部
４１    抜け止め板
４２    隙間
４３    連結ピン
４４    連かん駒
４５    連結ピン
５０    中間板
５１    開閉板
５２    開閉板
５７Ａ            ピン孔
５８    ピン
６０    中留枠
６０Ａ            枠本体
６０Ｂ            端壁部
６１    凹部
６２    ボタン用窓部
６３    孔部
６４    プッシュボタン
６７Ｃ            連結部
７２    表板
７２ａ            枢着部
７３    係合爪
７４    連結用バー部材
７５    係合部
８０    ブレスレッド部
Ｈ        ボタン挿入孔
【図１】
0003604646.tif 000002
【図２】
0003604646.tif 000003
【図３】
0003604646.tif 000004
【図４】
0003604646.tif 000005
【図５】
0003604646.tif 000006
【図６】
0003604646.tif 000007
【図７】
0003604646.tif 000008
【図８】
0003604646.tif 000009
【図９】
0003604646.tif 000010
【図１０】
0003604646.tif 000011
【図１１】
0003604646.tif 000012
【図１２】
0003604646.tif 000013
【図１３】
0003604646.tif 000014
【図１４】
0003604646.tif 000015
【図１５】
0003604646.tif 000016
【図１６】
0003604646.tif 000017
【図１７】
0003604646.tif 000018
【図１８】
0003604646.tif 000019